(57)【要約】【課題】ブラケットとの整列機能を行うとともに、結合ボルトを通して前記ブラケットと結合されるナットを備えた液晶表示装置を提供する。【解決手段】カバーボトム及びカバーシールドを含み、結合ボルトを通してブラケットと結合されるナットが形成されており、前記ナットの上部及び下部の直径が異なることを特徴とする液晶表示装置を構成する。【選択図】図５
2008197633.tif 000002
【特許請求の範囲】
【請求項１】
カバーボトム及びカバーシールドを含む液晶表示装置において、
結合ボルトを通してブラケットと結合されるナットが形成されており、
前記ナットの上部及び下部は、異なった直径を有することを特徴とする液晶表示装置。
【請求項２】
前記ナットは、
前記カバーボトムの背面に形成された支持部と；
前記支持部の外径より小さい外径を有するガイド部と；
前記支持部とガイド部との境界で階段状に形成された段付き部と；を含む請求項１に記載の液晶表示装置。
【請求項３】
前記段付き部には、前記カバーシールドに形成されたカバーシールドホールが位置することを特徴とする請求項２に記載の液晶表示装置。
【請求項４】
前記ガイド部は、
前記カバーシールドに形成されたカバーシールドホールを貫通して突出されることを特徴とする請求項２に記載の液晶表示装置。
【請求項５】
前記カバーシールドホールを貫通した前記ガイド部は、前記ブラケットの結合ホールに挿入されることを特徴とする請求項４に記載の液晶表示装置。
【請求項６】
前記結合ボルトは、
前記結合ホールを通して前記ガイド部と結合されることを特徴とする請求項５に記載の液晶表示装置。
【請求項７】
前記ナットは、
前記カバーボトムまたは前記カバーシールドの背面に形成されることを特徴とする請求項１に記載の液晶表示装置。
【発明の詳細な説明】
【技術分野】
【０００１】
本発明は、液晶表示装置に関するもので、特に、システム本体との結合のためにナットの構造を変更させた液晶表示装置に関するものである。
【背景技術】
【０００２】
液晶表示装置は、液晶パネルとバックライトユニットとが結合されて構成されるもので、自発光表示装置でないので、光源を含む前記バックライトユニットが必要である。
【０００３】
光源を含む前記バックライトユニットは、前記光源の位置によって直下型方式とエッジ型方式などに区分される。
【０００４】
直下型バックライトユニットは、液晶パネルの真下に多数の光源を配置し、それら光源から入射される光を拡散板及び多数の光学シートを通して液晶パネルに照射するもので、前記直下型バックライトユニットを含む一般的な液晶表示装置は、前記液晶パネルとバックライトユニットがサポートメーン、トップケース及びボトムカバーなどによって結合される形態で構成される。
【０００５】
エッジ型バックライトユニットは、液晶パネルの一側縁部に光源を設置し、その光源から入射される光を導光板及び多数の光学シートを通して液晶パネルに照射するものである。
【０００６】
図１は、一般的な液晶表示装置の背面を示した例示図で、一般的な液晶表示装置の背面とブラケットとの連結状態を示している。
【０００７】
液晶表示装置は、モニター、ノートブック、ＴＶなどの比較的大きい規模のシステムを構成する構成要素として用いられているが、その他に、ナビゲーション、ＰＤＰ、ＰＭＰなどの小さい規模のアプリケーション（システム）を構成する構成要素としても用いられている。一般的に、液晶表示装置は、個別工程を通して製作され、前記システムの本体と結合された後、一つのケースに搭載されて販売されている。
【０００８】
上述したように、液晶表示装置１０とシステムの本体とを結合するために、一般的に、図１に示したブラケット２０が用いられている。
【０００９】
前記ブラケット２０の上部及び下部には、それぞれ３個のホールが形成されている。前記３個のホールのうち第１ホール２１には、前記液晶表示装置の下部面に形成されたガイドピン１１が挿入される。また、第２ホール２２に第１結合ボルト３０が挿入されることで、前記液晶表示装置の下部面に形成されたナット１４と第１結合ボルト３０とが結合され、第３ホール２３には、前記本体と結合される第２結合ボルト（図示せず）が挿入される。
【００１０】
図２は、図１に示した液晶表示装置とブラケットとが結合ボルトによって結合される状態を示した断面図である。
【００１１】
一般的に、図１及び図２に示すように、前記液晶表示装置１０の下部面を支持するカバーボトム１３にナット１４が形成されており、前記ブラケット２０の第２ホール２２に挿入された前記第１結合ボルト３０は、前記カバーボトム１３を取り囲むカバーシールド１５に形成されたカバーシールドホール１６を通して前記ナット１４と結合される。また、前記ブラケット２０の第３ホール２３に挿入された前記第２結合ボルト４０は、前記システムの本体（図示せず）に形成されたナットと結合される。
【００１２】
上記のように第１結合ボルト３０とナット１４とを結合する前に、前記ブラケット２０の第２ホール２２と前記ナット１４との位置を一致させるための工程が必要である（カバーシールドホール１６とナット１４は、既に整列された状態である。）。このために、従来は、前記カバーボトム１３またはカバーシールド１５に形成された前記ガイドピン１１を用いている。
【００１３】
すなわち、従来の液晶表示装置の背面の上部及び下部には、ガイドピン１１がそれぞれ形成されており、前記ブラケット２０の上部及び下部にそれぞれ形成された第１ホール２１に前記ガイドピン１１が挿入されることで、前記ブラケット２０の第２ホール２２と前記ナット１４とが整列される。
【００１４】
しかしながら、上述したように、従来の液晶表示装置１０とブラケット２０とを結合するためには、まず、ブラケット２０の第１ホール２１に、液晶表示装置の背面に形成されたガイドピン１１が挿入され、ブラケット２０の第２ホール２２とナット１４との位置が整列される工程が行われた後、前記第２ホール２２に挿入された第１締ボルト３０と前記ナット１４とが結合されて結合される工程が行われるべきである。
【００１５】
したがって、従来の液晶表示装置の背面の上部及び下部には、一定の間隔を有して形成された一対のガイドピン１１とカバーシールドホール１６が形成されるべきである。そのため、ガイドピン１１とカバーシールドホール１６形成のために細密な工程が要求されるだけでなく、複雑な構造のために加工費及び部品費用が増加するという問題点がある。
【００１６】
また、従来の液晶表示装置には、上記のような細密なホール形成工程が要求されるので、ガイドピン１１を用いた整列工程が行われる場合にも、ブラケット２０の第２ホール２２とナット１４との整列に誤差が発生し、第１結合ボルト３０が前記第２ホール２２及びナット１４に正確に挿入されないという問題点がある。
【発明の開示】
【発明が解決しようとする課題】
【００１７】
本発明は、上記のような従来の問題点を解決するためのもので、その目的は、ブラケットとの整列機能を行うとともに、結合ボルトを通して前記ブラケットと結合されるナットを備えた液晶表示装置を提供することにある。
【課題を解決するための手段】
【００１８】
上記の目的を達成するために、本発明に係る液晶表示装置は、カバーボトム及びカバーシールドを含む液晶表示装置において、結合ボルトを通してブラケットと結合されるナットが形成されており、前記ナットの上部及び下部は、異なった直径を有することを特徴とする。
【００１９】
上記の目的の他に、本発明の他の目的及び利点は、添付の図面を参照した本発明の好適な実施例に対する説明を通して明白に表れるだろう。
【発明の効果】
【００２０】
本発明に係る液晶表示装置は、ガイドピンの削除によって構造が単純化されることで、材料費が減少するという優れた効果を有する。
【００２１】
また、本発明に係る液晶表示装置は、構造が単純化されることで、不良率が減少するという優れた効果を有する。
【００２２】
また、本発明に係る液晶表示装置は、構造が単純化されることで、システムの本体との結合工程が単純化されるという優れた効果を有する。
【発明を実施するための最良の形態】
【００２３】
以下、本発明の好適な実施例を、添付の図面を参照して詳細に説明する。
【００２４】
図３は、本発明に係るエッジ型バックライトユニットを用いた液晶表示装置の一実施例の構成図で、特に、車両に搭載されて用いられるナビゲーションなどの小型アプリケーション（システム）に適用される液晶表示装置の構成を示したものである。
【００２５】
本発明に係るエッジ型バックライトユニットを用いた液晶表示装置は、図３に示すように、液晶表示パネル１２０と、液晶表示パネル１２０に光を照射するバックライトユニット１４０と、液晶表示パネル１２０とバックライトユニット１４０を収納するカバーボトム１５０と、バックライトユニット１４０と液晶表示パネル１２０との間に配置され、液晶表示パネル１２０を支持するとともに、カバーボトム１５０の側面と結合されるガイドパネル１３０と、液晶表示パネル１２０の縁部とガイドパネル１３０の側壁を取り囲むトップケース１１０と、前記液晶表示装置の背面で前記各構成要素を全体的に保護するためのカバーシールド１６０とを含む。
【００２６】
前記液晶表示パネル１２０のうち液晶パネル１２７には、上部基板１２１と下部基板１２２との間に各液晶セルがアクティブマトリックス形態で配列され、各液晶セルには、ビデオ信号を切り替えるための薄膜トランジスタが設置されている。各液晶セルの屈折率がビデオ信号によって変化されることで、ビデオ信号に該当する画像が表示される。上記のような液晶表示パネル１２０の下部基板１２２上には、薄膜トランジスタに駆動信号を印加するためのドライバー集積回路１２３が実装されたテープキャリアパッケージ１２４が付着される。また、液晶表示パネル１２０の前面及び背面には、偏光フィルム１２６がそれぞれ設置される（前面偏光フィルムは示していない）。前記偏光フィルム１２６は、各液晶セルによって表示される画像の視野角を向上させる機能をする。
【００２７】
前記バックライトユニット１４０は、外部電源から電源を受けて液晶パネル１２７に光を照射するランプ１４７と、前記ランプ１４７との対向側面に形成された入光部を通して入射される光を液晶パネル１２７側に進行させる導光板１４２と、ランプ１４７を取り囲むとともに、導光板１４２の入光部を取り囲むランプハウジング１４８と、導光板１４２の背面に配置される反射シート１４３と、導光板１４２から出射される光の効率を向上させ、光を液晶パネル１２７に照射する多数の光学シート１４１とを備えている。
【００２８】
“Ｌ”字状に折り曲げられたガイドパネル１３０は、カバーボトム１５０の縁部上面に載置されるとともに、カバーボトム１５０の側面を取り囲む。このガイドパネル１３０は、液晶パネル１２７の背面が載置される載置部と、液晶パネル１２７の側面をガイドする側壁とを有することで、液晶パネル１２７を支持する。
【００２９】
トップケース１１０は、直角に折り曲げられた平面部及び側面部を有する四角帯状に製作される。このトップケース１１０は、液晶パネル１２７の縁部とカバーボトム１５０の側面を取り囲む。
【００３０】
カバーボトム１５０は、プラスチック材質のモールド物で、その内部の側壁面が階段状の段付き面として成形される。このようなカバーボトム１５０の階段状の段付き面には、バックライトユニット１４０、ガイドパネル１３０及び液晶表示パネル１２０が積層される。
【００３１】
カバーシールド１６０は、上記のような各構成要素を含む液晶表示装置の背面において、前記各構成要素を全体的に保護する機能を行う。
【００３２】
一方、前記各構成要素のうちカバーボトム１５０またはカバーシールド１６０の一側面には、ブラケットとの整列機能を行うとともに、結合ボルトを通して前記ブラケットと結合されるナット１７０が形成されている。前記ブラケットは、結合ボルトを通して前記アプリケーション（システム）の本体と結合される。
【００３３】
以下では、図３に示すように、前記ナット１７０が前記カバーボトム１５０に形成される場合を説明するが、本発明がこれに限定されることはなく、前記ナット１７０は、カバーシールド１６０にも形成される。
【００３４】
以下、前記ナット１７０の構造及び機能を、図４を参照して詳細に説明する。
【００３５】
図４は、本発明に係る直下型バックライトユニットを用いた液晶表示装置の一実施例の構成図で、特に、車両に搭載されて用いられるナビゲーションなどの小型アプリケーション（システム）に適用される液晶表示装置の構成を示したものである。以下、図４を参照した説明において、図３を参照して説明した構成要素と重複する内容は簡単に説明することにする。
【００３６】
本発明に係る直下型バックライトユニットを用いた液晶表示装置は、図４に示すように、液晶パネル２１０、バックライトユニット２２０、サポートメーン２４０、トップケース２３０、カバーボトム２５０及びカバーシールド２６０を含んで構成される。
【００３７】
液晶パネル２１０は、互いに対向する二つの基板２１０ａ、２１０ｂと、これら二つの基板２１０ａ，２１０ｂの間の液晶層（図示せず）とを含んで構成される。
【００３８】
バックライトユニット２２０は、液晶パネル２１０の下部から光を供給する機能を行うもので、バックライトユニット２２０には、光源として動作する多数のランプ２２１が並列に配置され、多数のランプ２２１の下部には反射板２２２が配置され、多数のランプ２２１の上部には多数の光学シート２２３が積層される。
【００３９】
サポートメーン２４０には、液晶パネル２１０及びバックライトユニット２２０が載置される。サポートメーン２４０は、液晶パネル２１０及びバックライトユニット２２０の移動を防止するとともに、前記液晶パネル２１０及びバックライトユニット２２０を支持する役割をする。
【００４０】
トップケース２３０は、液晶パネル２１０の縁部上面及びサポートメーン２４０の側面を覆うことで、液晶パネル２１０の縁部及びサポートメーン２４０の側面を支持して保護する役割をする。
【００４１】
カバーボトム２５０は、サポートメーン２４０の下部を覆うことで、液晶表示装置の下部を保護する役割をする。カバーボトム２５０は、トップケース２３０及びサポートメーン２４０と結合手段（図示せず）を通して結合されてモジュール化される。
【００４２】
カバーシールド２６０は、上記のような各構成要素を含む液晶表示装置の背面において、前記各構成要素を全体的に保護する機能を行う。
【００４３】
一方、前記各構成要素のうちカバーボトム２５０またはカバーシールド２６０の一側面には、ブラケットとの整列機能を行うとともに、結合ボルトを通して前記ブラケットと結合されるナット２７０が形成されている。前記ブラケットは、結合ボルトを通して前記アプリケーション（システム）の本体と結合される。
【００４４】
以下では、図４に示すように、前記ナット２７０が前記カバーボトム２５０に形成される場合を説明するが、本発明がこれに限定されることはなく、前記ナット２７０は、カバーシールド２６０にも形成される。
【００４５】
以下、前記ナット１７０，２７０の構造及び機能を、図５及び図６を参照して詳細に説明する。
【００４６】
図５は、本発明に係る液晶表示装置の背面を示した例示図で、図３または図４に示した液晶表示装置の背面とブラケットとの連結状態を示している。また、図６は、図５に示した液晶表示装置とブラケットとが結合ボルトによって結合される状態を示した断面図である。
【００４７】
本発明は、車両に搭載されて用いられるナビゲーション、ＰＭＰまたはＰＤＡなどの小型アプリケーション（システム）に適用される液晶表示装置に関するもので、図５に示した液晶表示装置３１０は、図３または図４に示した構成要素によって形成される。
【００４８】
前記ブラケット３２０は、前記システムの本体（図示せず）と前記液晶表示装置３１０とを結合するために使用されるもので、前記ブラケット３２０は、第１結合ボルト３３０を通して液晶表示装置３１０と結合され、第２結合ボルト３４０を通してシステムの本体と結合される。
【００４９】
上記のような結合のために、前記ブラケット３２０の上端部及び下段部には、図５に示すように第１結合ホール３２１が形成されている。
【００５０】
一方、本発明に係る液晶表示装置のカバーボトム３１３には、図３及び図４を参照して説明したように、前記第１結合ボルト３３０と結合されるナット（例えば、ＰＥＭナット）３７０が形成されており、前記ナット３７０の上端を形成するガイド部３７１は、図５及び図６に示すように、カバーシールド３１５に形成されたカバーシールドホール３１６を通して突出され、前記ブラケット３２０の第１結合ホール３２１に挿入される。
【００５１】
以下、上記のように構成される前記ナット３７０とブラケット３２０との結合状態を、図６を参照して説明する。
【００５２】
上記のように、本発明に係る液晶表示装置のカバーボトム３１３にはナット３７０が形成されており、前記ナット３７０は二段構成となっている。すなわち、前記ナット３７０は、前記カバーボトム３１３に結合された支持部３７２と、前記支持部３７２の直径より小さい直径を有するガイド部３７１とを含んでおり、結果的に前記支持部３７２とガイド部３７１が段付き形状で構成されている。
【００５３】
前記支持部３７２とガイド部３７１の段付き部分（以下、‘段付き部’という。）３７３には、前記カバーシールド３１５に形成されたカバーシールドホール３１６が位置する。したがって、前記カバーシールド３１５に形成されたカバーシールドホール３１６の直径は、前記ガイド部３７１の直径より大きく、前記支持部３７２の直径より小さく形成されることが好ましい。
【００５４】
前記ガイド部３７１の長さは、前記カバーシールド３１５の厚さとブラケット３２０の厚さとの合計より小さいか等しく形成されることが好ましい。したがって、前記ガイド部３７１は、図６に示すように、前記カバーシールド３１５に形成されたカバーシールドホール３１６及び前記ブラケット３２０に形成された第１結合ホール３２１を貫通するようになる。
【００５５】
上記のように構成される液晶表示装置３１０と前記ブラケット３２０とを結合するためには、まず、前記ブラケット３２０に形成された前記第１結合ホール３２１に前記ガイド部３７１が挿入されるべきである。このために、前記ガイド部３７１は、液晶表示装置３１０の組み立て段階で前記カバーシールド３１５のカバーシールドホール３１６から突出された状態になる。
【００５６】
前記ガイド部３７１が前記第１結合ホール３２１に挿入されると、前記ガイド部３７１の内部面に形成されたねじ線に沿って前記第１結合ボルト３３０が挿入される。前記ねじ線は、前記ガイド部３７１の内部面から前記支持部３７２の内部面にまで形成されるので、前記第１結合ボルト３３０は、前記支持部３７３の内部面にまで挿入される。また、前記第１結合ボルト３３０のヘッド３３１の直径は、前記ブラケット３２０に形成された第１結合ホール３２１の直径より大きいので、前記ブラケット３２０は、前記第１結合ボルト３３０の前記ヘッド３３１と前記ナット３７０の段付き部３７３との間に固定される。
【００５７】
一方、前記ナット３７０は、前記液晶表示装置の背面の上部及び下部にそれぞれ形成されており、前記各ナット３７０が二つの第１結合ボルト３３０によって結合されることで、前記ブラケット３２０は、移動なしに前記液晶表示装置３１０と結合される。
【００５８】
また、前記ブラケット３２０は、前記液晶表示装置の背面の左右両側で前記各ナット３７０と結合される。すなわち、前記第１結合ボルト３３０によって前記二つのブラケット３２０が前記液晶表示装置３１０の左右両側で前記液晶表示装置と結合されると、前記ブラケット３２０に形成された第２結合ホール３２２を通して第２結合ボルト３４０が前記システムの本体と結合されることで、前記液晶表示装置が前記システムの本体（図示せず）と結合される。
【００５９】
以上説明した内容を通して、当業者であれば、本発明の技術思想を逸脱しない範囲で多様に変更及び修正可能であることを理解できるだろう。したがって、本発明の技術的範囲は、明細書の詳細な説明に記載された内容に限定されるものでなく、特許請求の範囲によって定められるべきである。
【図面の簡単な説明】
【００６０】
【図１】一般的な液晶表示装置の背面を示した例示図である。
【図２】図１に示した液晶表示装置とブラケットとが結合ボルトによって結合される状態を示した断面図である。
【図３】本発明に係るエッジ型バックライトユニットを用いた液晶表示装置の一実施例の構成図である。
【図４】本発明に係る直下型バックライトユニットを用いた液晶表示装置の一実施例の構成図である。
【図５】本発明に係る液晶表示装置の背面を示した例示図である。
【図６】図５に示した液晶表示装置とブラケットとが結合ボルトによって結合される状態を示した断面図である。
【符号の説明】
【００６１】
３１０  液晶表示装置
３２０  ブラケット
３３０  第１結合ボルト
３４０  第２結合ボルト
３７０  ナット
【図１】
2008197633.tif 000003
【図２】
2008197633.tif 000004
【図３】
2008197633.tif 000005
【図４】
2008197633.tif 000006
【図５】
2008197633.tif 000007
【図６】
2008197633.tif 000008